(57)【要約】      （修正有）【課題】足の載置時に左右の足が足置きの中心に寄らず、前席や机が不用であり、自席でのみ使用可能なフットレストを提供する。【解決手段】着座者の体重のみで使用するフットレストで、座面部分３７に平織り構造の第１テープ１と第２テープ２により連結して吊られた足の載置部分３９、４０は足が内側に寄らぬよう足底部に長方形平板を用いる。足底部は袋状で長方形平板を挿出できる開口部を持ち、開口部には長方形平板と共に熱源の収容も可能であり、踵部分３８は空間となり、足の大小を問わず大人から子供まで使用可能である。飛行機、新幹線、自動車の助手席や後部座席など、乗り物も限定せずに使用可能である。【選択図】図２
0003227291.tif 000002
【実用新案登録請求の範囲】
【請求項１】
着座者の尻が載置される座面部分と，着座者の足が載置される足置き部分と，前記座面部分の一端と前記足置き部分の一端とを繋ぐ第１テープと，前記座面部の他端と前記足置き部分の他端を繋ぐ第２テープとを有することを特徴とする携帯用フットレスト。  
【請求項２】
前記足置き部分は袋状の形状を有することを特徴とし，袋状の内部には載置時に足が中心部に寄ることを防止する為の板状物または熱源を収容可能とする請求項1記載の携帯用フットレスト。
【考案の詳細な説明】
【技術分野】
【０００１】
本考案は乗り物の座席に着座の際に使用する携帯用フットレストである。
【背景技術】
【０００２】
先考案の下記文献２にみられるような，飛行機などで前席の背面のテーブル等に紐などを掛けて使用するフットレストがある。
【先行技術文献】
【特許文献】
【０００３】
【特許文献１】実用新案登録第３１２２１７２号公報
【特許文献２】実用新案登録第３２０２２０８号公報
【特許文献３】実用新案登録第３２０９３３１号公報
【特許文献４】特許５３９０６８９号公報
【特許文献５】特開２００６−２０５９９５号公報
【考案の概要】
【考案が解決しようとする課題】
【０００４】
先行の吊り下げ式のフットレストは前席の背面の机を使用して紐などを掛けて使用するものである。足の載置時に左右の足が足置きの中心に寄る事により使い心地が悪い為，足が寄らず前席の机などが不用で自席のみの使用可能なフットレストの考案である。 
【課題を解決するための手段】
【０００５】
本考案は，着座者の体重のみで使用するフットレストで，座面部分３７に平織り構造の第1テープと第２テープにより連結して吊られた足置き部分３９，４０は足が内側に寄らぬよう前記足底部に長方形平板３５，３６を用いる。前記足底部は袋状で平板を挿出できる図４の８，１０−１１，１３の開口部を持ち，前記足底部には長方形平板と共に熱源の収容も可能であり，図２の踵部分の３８は空間となり，足の大小を問わず大人から子供まで使用可能である。飛行機，新幹線，自動車の助手席や後部座席など乗り物も限定せずに使用可能の携帯用フットレストである。
【考案の効果】
【０００６】
本考案の携帯用フットレストによれば，前席の利用が不用であり，自席のみで幅広い場や年齢層で本フットレストが使用可能で，座面部分３７を敷く位置や姿勢により腹筋も使い，軽い運動効果も得られる。
【図面の簡単な説明】
【０００７】
【図１】図１は本考案の実施形態のフットレストを示す側面図である。
【図２】図２は本考案の全体の斜視図である。
【図３】図３は本考案の全体の展開図である。
【図４】図４は本考案のフットレストの分解説図である。
【考案を実施するための形態】
【０００８】
本考案の実施について具体的に説明するが，一形態であって，その範囲内に限定しない。
【実施例】
【０００９】
本考案のフットレストの構造を説明すると，図１の１００で示すように 座席に着座の際に使用するフットレストであり，着座者の尻が載置される座面部分３７と着座者の足が載置される足置き部分３９，４０と前記座面部分の一端と前記足置き部分の一端とを繋ぐ平織り構造の第１テープと他端を繋ぐ第２テープとを有する。前記足の載置部分と，自分の体重で前記足の載置部分を吊って支持する為に座る座面部分３７と，前記足の載置部分のたわみ解消のための長方形平板３５，３６と，前記載置部分と前記座面部分を繋ぐ強力な平織り構造の第１，第２テープとを主に構成される。前記座面部分と前記足の載置部分の連結部分は平織り構造の第１，第２テープのみである為，双方の間には図２の３８のように空間が出来る。前記足の載置部分は，たわみ解消のために強度のある長方形平板３５，３６を使用する。前記長方形平板は，基本の二枚の使用時であっても携帯性を重視し，使用後は重ねて収納可能にする為，本件実施例では厚さ約３ｍｍ，およそ８ｃｍ×およそ２０ｃｍ〜２３ｃｍ程の二枚の長方形平板を使用するが，本体の洗濯時に外す事を可能にする為,また好みで一枚，前記長方形平板無しでも使用出来るように挿脱可能とする。前記二枚の長方形平板が使用中に重なりを防ぐ為に，前記長方形平板の収納部分４０の袋内を予め二分割にし，前記袋内の境目は図４の２４のとおり面ファスナーを縫い付けて区分をする。前記長方形平板無しで使用する場合は，前記足底部分に支持として通っている二本の平織り構造のテープ第１，第２部分に踵または土踏まず近辺を載せて使用する。前記長方形平板の素材は，金属探知機に反応しない，例えば木材や強度のある樹脂製等が望ましい。前記長方形平板の挿入部分には，冷え対策としての携帯用の熱源も入れられる。
【００１０】
図１の１００のように本携帯用フットレストは，使用時に前下方へ足先が出ようとする力が働くた め，足を図２の足の載置部分３９，４０に維持する為に前方に覆いや囲いを必要とするが，踵の後方は図２の３８のように開放状態で，足のサイズが大きくても対応できる。前方に覆いや囲いを設けても緊急時等には速やかに使用を中止して足を抜く事が出来る。 
【００１１】
本携帯用フットレストは座面部分３７を座席に置く位置の前後により，自在に足の載置部分３９，４０の高低の調節が可能で，座面部分を座席の背もたれ近くにずらして着座することにより，手で両足を抱えること無しに体操座りの様に膝を高く上げて維持できるという事まで可能である。前記足の載置部分の高低や，足を置く位置や姿勢によっては腹筋を使うため運動効果も得られる。前記の使用時，ふくらはぎ部分が多少圧迫される為，取り外し可能のクッションを設けることも考えられる。図２の座面部分３７と足の載置部分３９，４０の境が３８のように空いている事により，股の部分にシートベルトの金具の付いているチャイルドシートにも使用出来る。
前記の際は，座面部分を敷く範囲が狭いので前記座面部分を折り畳んでの使用になる。シートベルトの着用を確実にした上での使用が不可欠である。新幹線などシートベルトの無い乗り物の場合は，年齢の低い子供などには使用を控えた方が良い。安全に使用する為には，使用を中止する時は先ず足の載置部分から足を抜いてから立つ。靴を履いたままの使用時は，座席に汚れが付かないように配慮が必要になる。
【００１２】
本携帯用フットレストは“座面部分に着座する”という物のため，肌触りと扱い易
さと耐久性を考慮し，綿などの天然素材とポリエステルなど混紡とする事が望ましい。例えば綿１００％では肌触りや吸湿性が良いが，耐久性，使用時や洗濯後の皺などが気になる。椅子の座面部分とフットレストの座面部分とで敷いた際に滑り難くする為に，布地の織り方がサラサラでなくザラザラのもの，かつ，布地は伸縮性の無い物にするのが望ましいが，肌触りが良くなるので多少の伸縮性があっても良い。靴を脱いでの使用が好ましいが，子供の使用や靴を履いたままでの使用には足の載置部分などを防水性に優れた物など汚れが付き難く拭き取り易い物にするのが好ましい。靴を脱いで使用の肌触りにこだわるタイプと,使い勝手にこだわるタイプとに作り分けても良い。  
【００１３】
この考案は四角形の布地二枚，平織テープ，長方形平板を主とした構造である。
足の載置部分の底部分４０と座面部分３７までは，前記足の載置部分の布を二本の平
織り構造のテープ第1，第２で挟み込んで縫いつける。前記平織り構造のテープ第1，
第２は前記足の載置部分と前記座面部分との連結部分の負荷の多さを考慮し，ＰＰテ    
ープなど強度のある平織テープとするのが望ましい。
【００１４】
使用後の収納は，先ず足の載置部分３９，４０の両側面をの足底分部４０に向かって内側に倒し，または二枚の長方形平板３５，３６を内側へ重ねるように折り畳んだ後,両側面を足底部分４０に向かって内側に倒してから座面部分に向かって巻き，予め座面部分の１９−２２の中心付近に装着した３１のリボンテープに通した３２のリング状の平ゴムで止めるとコンパクトになる。前記平ゴムは丸ゴムで形成しても良い。前記平ゴムは経年劣化で伸びるが，手軽に自前のゴムで交換可能である。
【００１５】
本考案の製作方法について説明すると， 図３のように足の載置部分３９，４０と座面部分３７となる二枚の生地を採寸，印付け，裁断したものを準備し，前記足の載置部分の生地の３−６，１５−１８の辺を三つ折り又はバイアステープでほつれ防止の端処理をする。四つの角が縫い難ければ，角を丸く切り落として縫い易くしても良い。前記座面部分は，図３の符号２０−２１，１９−２２の二辺のみ三つ折り又はバイアステープでほつれ防止の端処理をする。これも角を丸く切り落として縫い易くしても良い。
【００１６】
図３のように足の載置部分３９，４０に折り線と縫う線を破線のように印をつける。一例符号４−１７を結んだ長さと座面部分の図の一例符号２１−２２を結んだ長さを足した以上の平織り構造テープ第１を符号４−１７の破線の上方３ｃｍの位置に破線と平行に置き，動かないように仮止めして平織り構造テープ第１の真下に布地を挟んだ状態で平織り構造テープ第２を置いて布と前記テープの重なり部分のみを縫う。
【００１７】
図３の足の載置部分（Ａ）の平織り構造テープ第１，第２を縫い付けた部分より約３ｃｍ下方に破線で示す線４−１７があるので，破線に向かって谷折りで６−１５方 向へ折ると図４になる。図４（Ａ）の足の載置部分の中心部の大きな四角形で示した９−８，１０−１１，１３−１２−９は袋部分となる。前記四角形の中心部に見える太い破線で示した面テープ２４は袋内で面ファスナーを縫い付けたものである。前記は袋内に長方形平板３５，３６を二枚または一枚使用時の板の固定のための二分割する手段となる。面ファスナーは谷折りに折った際に袋部分の内側に二分割に位置を定めて縫い付ける。図４の８，１０−１１，１３付近の太い破線で示した面テープ２３は，前記長方形平板や熱源を挿出する為の開口部を閉じる為に縫い付けた面ファスナーを示したものである。この開口部の面ファスナーを縫い付けるのは，前記の袋内を二分割にするための面ファスナー縫い付け作業と同時にする。前記開口部の面ファスナーはソフトタイプにした方が指先近辺の当たりを和らげる。前記面ファスナーを縫い付けた後，前記足の載置部分の４−３，５−８，１０−９を結んだ部分と，１２−１１，１３−１６，１８−１７を結んだ部分の二個所を縫うと，８，１０−１１，１３は面ファスナーを縫い付けた開口部となる。前記長方形平板の材質は，例えば強度のある木材や，強度のある樹脂製など金属探知機に反応しない物が望ましい。
【００１８】
図４の４と１７の上方付近から左右に出ている平織り構造のテープ第１，第２の２５の黒く長方形に塗りつぶしてある部分の平織り構造のテープ第１を右方向に起こして同じ方向へ倒した際に見える布端を２５とし，２５の黒く長方形に塗りつぶしてある部分の下部を軸として右方向に９０度回転させ，座面部分の２９の黒く塗りつぶしてある部分と縫い付ける。同じく２６の黒く長方形に塗りつぶしてある部分の平織り構造テープを左に起こして同じ方向へ倒した際に見える布の端を２６とし，２６の黒く長方形に塗りつぶしてある部分の下部を軸として左方向に９０度回転させ，座面部分３０の黒く塗りつぶしてある部分と縫い付けると足置き部分と座面部分が一体になるので，平織り構造テープ第１，第２を座面部分の両側面の１９−２０，２１−２２を挟んだままそれぞれ端まで縫い，縫い終わりは折り返して縫うなどの端処理をする。
【００１９】
図４の足の載置部分の８，１０−１１，１３の袋内開口部からの長方形平板二枚３ 
５，３６を入れ，図４の黒塗り部分の長方形で示した部分２７，２８を，図３，４で
は示し難いので図２で示すと，足の載置部分と座面部分の境の平織り構造テープが九  
の字に曲がる部分，長方形の黒塗りで示した部分３３，３４に縫いとめると足の載置
部分の覆い（囲い）となる。６−１５部分は予めを三つ折りなどで厚みをつけておく
と足の挿入時にコシが出るため手を添え易い。前記足の載置部分の覆い（囲い）の両
側面が横に突出すると外見が整然としない為，前記突出部分を内側に傾斜をつけて折
り込み，外側から見苦しくない程度に縫い留めると整然とする。前記足の載置部分の
平織り構造テープ第１，第２の座席に近い位置に突出した前記で袋状にする為の手順
で４−１７の破線に向かって谷折りで６−１５方向へ折った時に出来た両側面の突出
部分は，そのままでも良いが傾斜を付けて折り込み縫い留めると整然と見える。前記
座面部分の収納用の３２平ゴムは，３１のリボンテープに前記ゴムを通してから縫い
付ける。
【００２０】
以上のように図１の１００の携帯用フットレストは前席が不用で自席のみの使用が 
可能であり，着座者が座る座面部分を置く位置，足の載置部の袋状の中に収容する長 
方形平板の数，熱源の収容の有る無し等で多彩にフットレスト部分の使用が出来，幅
広い乗り物，また幅広い年齢に対応でき，かつ腹筋を使い運動効果も得られる物であ
る。
【符号の説明】
【００２１】
１，２          第１，第２テープ
２３            面テープ
２４            面テープ
３１            リボンテープ
３２            ゴム
３５，３６      長方形平板
１００          携帯用フットレスト
【図１】
0003227291.tif 000003
【図２】
0003227291.tif 000004
【図３】
0003227291.tif 000005
【図４】
0003227291.tif 000006